(57)【要約】      （修正有）【課題】ユーザの目的地の住所、施設名などが不明瞭な場合でも、目的候補地として地図データベースから地図画像データを取得することができる画像形成装置を提供する。【解決手段】目的地検索の対象となる各施設をランドマーク情報として記憶し、ランドマーク名の各施設をランドマーク種類情報として記憶して、表示手段の画面上でユーザの記憶に基づくランドマークリストを作成する。作成したランドマークリストと入力された地域情報に基づいてランドマーク情報記憶部の対応する地域の対応するランドマーク名を含むランドマーク情報を選択して目的候補地エリア情報を生成し、生成した目的候補地エリア情報に基づいて地図データベースを検索し、当該エリア情報に対応する地図画像データを取得し、取得した地図画像データを表示手段に画面表示させる。【選択図】図１
2009198660.tif 000002
【特許請求の範囲】
【請求項１】
目的地検索の対象となる各施設のランドマーク名及びその地域毎の位置情報をランドマーク情報として記憶するランドマーク情報記憶部と、
前記ランドマーク名の各施設をランドマーク種類情報として記憶するランドマーク種類情報記憶部と、
表示手段の画面上でユーザによりランドマーク種類情報が選択されるとユーザの記憶に基づくランドマークリストを作成するランドマークリスト作成部と、
作成したランドマークリストを構成する各施設のランドマーク名と入力された地域情報に基づいてランドマーク情報記憶部の対応する地域の対応するランドマーク名を含むランドマーク情報を選択して目的候補地エリア情報を生成する目的候補地検索部と、
前記生成した目的候補地エリア情報に基づいて地図データベースを検索し、当該エリア情報に対応する地図画像データを取得する地図画像データ取得部と、
前記取得した地図画像データを前記表示手段に画面表示させる表示制御部とを含むことを特徴とする画像形成装置。
【請求項２】
前記ランドマークリスト作成部は、ユーザにより前記ランドマークリストにおける前記ランドマーク種類情報の存在確率を示す存在確率値情報を設定させてランドマークリストを作成し、
前記目的候補地検索部は、前記存在確率値情報に基づいて前記目的候補地エリア情報を生成することを特徴とする請求項１に記載の画像形成装置。
【発明の詳細な説明】
【技術分野】
【０００１】
本発明は、ユーザからの指示情報に基づいて地図データベースを検索し、該当エリアの地図情報から成る画像データを生成する画像形成装置に関する。
【背景技術】
【０００２】
従来、この種の画像形成装置として、例えば特許文献１に開示されているように、ユーザが目的地の地図を取得するために、装置が有する入力部を介して例えば電話番号の市外局番を入力すると、予め設定された各市外局番と各市区町村名とを対応付けたデータベースから該当する市区町村名を取得し、取得した市区町村名に基づいて予め設定された地図データベースを検索して該当するエリアの地図情報から成る画像データを生成し、該画像データを印刷媒体上に印刷出力する地図プリンタが提案されている。
【０００３】
また、この種の画像形成装置として、ＧＰＳ（Ｇｌｏｂａｌ  Ｐｏｓｉｔｉｏｎｉｎｇ  Ｓｙｓｔｅｍ）機能を有し、ユーザが装置の有する入力部を介して住所、施設名などを入力すると、予め設定された地図データベースで保持する地図情報を用いて、装置が有するタッチパネルディスプレイ上に車の現在位置や目的地への走行経路を案内表示するカーナビゲーションが提案されている。
【０００４】
このような画像形成装置が提供する地図情報から成る画像データを用いることにより、ユーザは、目的地までの経路を把握し、目的地に辿り着くことができる。
【特許文献１】特開平１０−５５３７０号公報
【発明の開示】
【発明が解決しようとする課題】
【０００５】
しかしながら、上記画像形成装置では、詳細な地図情報から成る画像データをユーザに提供するために、地図情報取得の検索キーワードとして、住所、施設名などの目的地を正確に特定する識別情報の入力が必須であり、目的地の住所及び施設名などが不明瞭の場合には、ユーザが把握している市区町村名に基づくような広範囲の地図情報しか取得することができなかった。このため、上記画像形成装置では、ユーザは、目的地の住所及び施設名が不明瞭の場合において、広範囲の地図情報しか取得できなかった場合には、目視により該地図情報に含まれる施設名などのランドマーク（目印）に基づいて目的地を探すことになり、目的地の割り出しが困難であるという問題があった。
【０００６】
以上の問題点に鑑み、本発明の目的は、ユーザの目的地の住所、施設名などが不明瞭な場合でも、目的候補地として地図データベースから地図画像データを取得することができる画像形成装置を提供することにある。
【課題を解決するための手段】
【０００７】
本発明は、以上の点を解決するために、次の構成を採用する。
本発明の画像形成装置は、目的地検索の対象となる各施設のランドマーク名及びその地域毎の位置情報をランドマーク情報として記憶するランドマーク情報記憶部と、記ランドマーク名の各施設をランドマーク種類情報として記憶するランドマーク種類情報記憶部と、表示手段の画面上でユーザによりランドマーク種類情報が選択されるとユーザの記憶に基づくランドマークリストを作成するランドマークリスト作成部と、作成したランドマークリストを構成する各施設のランドマーク名と入力された地域情報に基づいてランドマーク情報記憶部の対応する地域の対応するランドマーク名を含むランドマーク情報を選択して目的候補地エリア情報を生成する目的候補地検索部と、生成した目的候補地エリア情報に基づいて地図データベースを検索し、当該エリア情報に対応する地図画像データを取得する地図画像データ取得部と、取得した地図画像データを表示手段に画面表示させる表示制御部とを含むことを特徴とする。
【発明の効果】
【０００８】
本発明によれば、ユーザに複数のランドマークを選択させて目的候補地に対応する地図画像データを取得するようにしたので、不明瞭であった目的地を簡単に割り出すことができる。
【０００９】
以下、本発明の実施形態について図面を用いて詳細に説明する。
【実施例１】
【００１０】
＜実施例１の構成＞
本発明の実施例１の画像形成装置１００は、図１に示すように、装置全体を制御するための制御部１０１と、入力表示部１０２と、画面情報生成部１０３と、住所情報データベース（ＤＢ）１０４と、ランドマーク種類情報ＤＢ１０５と、ランドマーク情報データベース（ＤＢ）１０６と、目的候補地検索部１０７と、地図データベース（ＤＢ）１０８と、地図画像データ取得部１０９と、印刷処理部１１０とを備える。ここで、本発明の画像形成装置１００は、例えば一般家庭に設置されるプリンタであり、図示しないＰＣ（Ｐｅｒｓｏｎａｌ  Ｃｏｍｐｕｔｅｒ）等の情報処理装置と図示しないネットワークを介して接続されると、該ＰＣからの印刷要求に基づく印刷処理を可能とする。
【００１１】
画像形成装置１００を利用するユーザが該画像形成装置１００が有する電源ボタンをＯＮにすると、制御部１０１は、図示しない電源部からの電圧を該画像形成装置１００を構成する各部に供給して起動させる。そして、画像形成装置１００の各部が起動すると、制御部１０１は、画面情報生成部１０３に初期画面情報の生成を指示する。
【００１２】
入力表示部１０２は、タッチパネルディスプレイから構成され、該タッチパネルディスプレイが有するマトリックススイッチの押下に基づいてユーザからの指示を受け付けると共に、該タッチパネルディスプレイ上に後述する地図画像データを含む各種画面情報の表示を行う。
【００１３】
画面情報生成部１０３は、入力表示部１０２のタッチパネルディスプレイ上に表示すべき各種画面情報を生成する生成部である。即ち、画面情報生成部１０３は、上記初期画面情報の生成の指示を受けると、図示しない、例えばプリントアウト及び地図取得が可能である旨のメッセージと、地図取得の要求を受け付けるための「地図取得」ボタンとから構成される初期画面情報を生成する。生成された初期画面情報は、制御部１０１の制御により、入力表示部１０２のタッチパネルディスプレイ上に表示される。
【００１４】
ユーザが入力表示部１０２のタッチパネルディスプレイ上に表示された上記初期画面情報を参照し、「地図取得」ボタンを押下すると、制御部１０１は、画面情報生成部１０３にキーワード種類選択画面情報の生成を指示する。
【００１５】
画面情報生成部１０３は、上記キーワード種類選択画面情報の生成の指示を受けると、図２に示すように、地図検索に用いる検索キーワードを選択する旨を通知するメッセージと、選択キーワードである「ランドマーク（目印）」ボタン、「住所」ボタン、「施設名」ボタンとから構成されるキーワード種類選択画面情報を生成する。生成したキーワード種類選択画面情報は、制御部１０１の制御により、入力表示部１０２のタッチパネルディスプレイ上に表示される。
【００１６】
ユーザが入力表示部１０２のタッチパネルディスプレイ上に表示されたキーワード種類選択画面情報を参照し、目的地の住所や施設名が正確に分からないので、ユーザの記憶の中の目的地近辺の施設などを目印として目的地を検索するために、上記「ランドマーク（目印）」ボタンを押下すると、制御部１０１は、画面情報生成部１０３に検索エリア入力画面情報の生成を指示する。
【００１７】
一方、ユーザが上記キーワード種類選択画面情報を参照し、目的地の住所が番地まで分かっているため上記「住所」ボタンを押下すると、制御部１０１の制御により、画面情報生成部１０３は、都道府県名のリストボックス、市区町村名のリストボックス、町丁名のリストボックス、番地のリストボックスと、「入力完了」ボタンとから構成された図示しない住所入力画面情報を生成する。ここで、上記各リストボックスに表示される都道府県名、市区町村名、町丁名、番地は、住所情報ＤＢ１０４で保持する後述する住所情報を用いている。生成された住所入力画面情報が制御部１０１の制御により入力表示部１０２のタッチパネルディスプレイ上に表示され、ユーザが該住所入力画面情報を参照して各リストボックスから都道府県名、市区町村名、町丁名、番地を順次選択し、「入力完了」ボタンを押下すると、制御部１０１は、地図画像データ取得部１０９に地図画像データの取得を指示すると共に、入力された住所情報（都道府県名、市区町村名、町丁名、番地）を転送する。
【００１８】
また、ユーザが上記キーワード種類選択画面情報を参照し、目的地である施設名が分かっているため上記「施設名」ボタンを押下すると、制御部１０１の制御により、画面情報生成部１０３は、都道府県名のリストボックス、市区町村名のリストボックス、施設名を入力するためのテキストボックスと、「入力完了」ボタンとから構成された図示しない施設名入力画面情報を生成する。ここで、上記各リストボックスに表示される都道府県名、市区町村名は、住所情報ＤＢ１０４で保持する住所情報を用いている。生成された施設名入力画面情報が制御部１０１の制御により入力表示部１０２のタッチパネルディスプレイ上に表示され、ユーザが該施設名入力画面を参照して各リストボックスから都道府県名、市区町村名を順次選択し、該施設名入力画面上に表示された文字入力ボタンを用いて施設名を入力し、「入力完了」ボタンを押下すると、制御部１０１は、地図画像データ取得部１０９に地図画像データの取得を指示すると共に、入力された施設情報（都道府県名、市区町村名、施設名）を転送する。
【００１９】
制御部１０１は、上記施設情報の転送結果として、地図画像データ取得部１０９から地図ＤＢ１０８で保持する地図情報に該当する施設が存在しない場合には、該当施設無し信号を受けるので、再入力を促す旨のメッセージと共に、施設名を再入力するための都道府県名のリストボックス、市区町村名のリストボックス、施設名を入力するためのテキストボックスと、「入力完了」ボタンとから構成された図示しない施設名再入力画面情報を生成する。ここで、再入力された施設情報の処理については、上記記載済みのため、割愛する。
【００２０】
この後、上記住所情報、又は施設情報に基づいて地図画像データ取得部１０９により地図ＤＢ１０８が保持する後述する地図情報から該当エリアの地図画像データが取得され、画面情報生成部１０３により生成された該地図画像データを含む画面情報が入力表示部１０２のタッチパネルディスプレイに表示される。そして、ユーザが印刷要求した場合には、印刷処理部１１０は、画像形成装置１００の図示しない印刷媒体保持部が保持する印刷媒体を用いて上記地図画像データに基づく印刷処理を行う。画像形成装置１００において、このような「住所」、又は「施設名」が検索キーワードとして入力された場合における地図画像データの取得処理及び該地図画像データに基づく印刷処理は周知であるため、詳細説明を割愛する。
【００２１】
住所情報ＤＢ１０４は、日本全国の都道府県名、市区町村名、町丁名、番地から成る住所情報を保持するデータベースである。即ち、住所情報ＤＢ１０４で保持する住所情報は、地図ＤＢ１０８で保持する後述する地図情報が有する住所情報と対応している。
【００２２】
画面情報生成部１０３は、上記検索エリア入力画面情報の生成の指示を受けると、図３に示すように、ランドマークが存在するエリアの限定を促す旨のメッセージと共に、都道府県名のリストボックスと、市区町村名のリストボックスと、「設定完了」ボタンとから構成された検索エリア入力画面情報を生成する。ここで、上記各リストボックスに表示される都道府県名、市区町村名は、住所情報ＤＢ１０４で保持する住所情報を用いている。生成した検索エリア入力画面情報は、制御部１０１の制御により、入力表示部１０２のタッチパネルディスプレイ上に表示される。
【００２３】
ユーザが入力表示部１０２のタッチパネルディスプレイ上に表示された検索エリア入力情報を参照して、各リストボックスから都道府県名、市区町村名を選択し、「設定完了」ボタンを押下すると、制御部１０１は、画面情報生成部１０３にランドマーク設定画面情報の生成を指示すると共に、ユーザにより選択された都道府県名、市区町村名からなる限定エリア情報を転送する。ここで、ユーザが上記各リストボックスから都道府県名、市区町村名を選択せずに、「設定完了」ボタンを押下した場合には、エリアが限定されていないことによる入力エラーメッセージを入力表示部１０２を介して表示させ、再び検索エリア入力情報を表示させるものとする。
【００２４】
ランドマーク種類情報ＤＢ１０５は、図４に示すように、入力表示部１０２のタッチパネルディスプレイに表示される後述するランドマーク設定画面情報内にリスト表示されるランドマーク種類情報を保持するデータベースである。このランドマーク種類情報は、図４に示すように、例えばコンビニエンスストア、公園など目的地を検索するための目印と成り得る一般的な施設の総称名で構成されている。
【００２５】
画面情報生成部１０３は、上記ランドマーク設定画面情報の生成の指示と共に、上記限定エリア情報（都道府県名、市区町村名）を受けると、図４に示すように、検索対象のエリア（都道府県名、市区町村名）の説明及びランドマーク（目印）を複数選択する旨を通知するメッセージと、上記ランドマーク種類情報ＤＢ１０５で保持するランドマーク種類情報をリスト表示するための各ランドマークリストボックスと、各ランドマークリストボックスに対応する通し番号を含む検索キーワード名と、「設定完了」ボタンとから構成されたランドマーク設定画面情報を生成する。生成したランドマーク設定画面情報は、制御部１０１の制御により、入力表示部１０２のタッチパネルディスプレイ上に表示される。ここで、生成された初期の上記ランドマーク設定画面情報では、各ランドマークリストボックス内は、ランドマーク種類名の無いブランク（空白）になっている。また、上記各ランドマークリストボックスには、通し番号を含むボックス識別情報が付与されている。
【００２６】
ユーザは、入力表示部１０２のタッチパネルディスプレイ上に表示されたランドマーク設定画面情報を参照し、複数のランドマークリストボックスから所望のランドマーク種類情報を各々選択する。このランドマークリストボックスは、該ランドマークリストボックスに付与されたボックス識別情報が有する通し番号順（昇順）に順次選択可能な構成となっている。上記ランドマーク種類情報が選択されると、各ランドマークリストボックス内にランドマーク種類名が表示されると共に、各ランドマークリストボックス内に表示された例えばコンビニエンスストア、公園などのランドマーク種類名から成るランドマークリストが生成される。
【００２７】
上記ランドマークリストでは、上記ランドマークリストボックスに付与されたボックス識別情報が有する通し番号順（昇順）に、各ランドマークリストボックス内に表示されたランドマーク種類名（ランドマーク種類名１、ランドマーク種類名２、・・・）を保持している。
【００２８】
そして、ユーザが上記複数のランドマークリストボックスから所望のランドマーク種類情報を各々選択し、上記「設定完了」ボタンを押下すると、制御部１０１は、目的候補地検索部１０７に目的候補地の検索を指示すると共に、上記ランドマークリストと、上記限定エリア情報（都道府県名、市区町村名）とを転送する。ここで、ユーザの選択により１つのランドマークリストボックス内にだけランドマーク種類名が表示されている、又はランドマーク種類名が表示されているランドマークリストボックスが１つもない状況で「設定完了」ボタンを押下された場合は、ランドマーク種類名の不足によるエラーメッセージを入力表示部１０２を介して表示させ、その後、再びランドマーク設定画面情報を表示させるものとする。
【００２９】
ランドマーク情報ＤＢ１０６は、図５に示すように、ランドマーク（目印）となる各施設の住所（都道府県名、市区町村名、町丁名、番地）、ランドマーク分類、経緯度座標、施設名から構成されたランドマーク情報が格納されたデータベースである。このランドマーク情報のランドマーク分類は、ランドマーク種類情報ＤＢ１０５で保持するランドマーク種類情報に対応している。
【００３０】
目的候補地検索部１０７は、ユーザの設定による上記限定エリア情報（都道府県名、市区町村名）と、上記各ランドマーク種類名に基づいて、目的候補地となる地図情報のエリアを検索する検索部である。即ち、目的候補地検索部１０７は、目的候補地の検索の指示と共に、上記限定エリア情報（都道府県名、市区町村名）と、２つのランドマーク種類名（ランドマーク種類名１、ランドマーク種類名２）を有するランドマークリストを受けると、先ず、該限定エリア情報に基づいてランドマーク情報ＤＢ１０６で保持するランドマーク情報を検索し、ランドマーク種類名１及びランドマーク種類名２に該当する各ランドマーク分類の各施設間の経緯度座標距離（２つの施設間の距離）を算出する。そして、目的候補地検索部１０７は、上記経緯度座標距離を算出すると、該経緯度座標距離の短い順で、かつ目的候補地を制限すべく例えば検索数５と設定された該当施設の各ランドマーク情報の経緯度座標から成る５つの目的候補地エリア情報を生成する。目的候補地検索部１０７は、上記検索数の目的候補地エリア情報を生成すると、生成した各目的候補地エリア情報に経緯度座標距離の短い順を示す優先順位を付与した目的候補地エリア情報群を生成する。尚、ランドマーク情報ＤＢ１０６で保持するランドマーク情報の「住所」を基準にして目的候補地エリア情報群を生成してもよい。
【００３１】
一方、目的候補地検索部１０７は、３つ以上のランドマーク種類名（ランドマーク種類名１、ランドマーク種類名２、ランドマーク種類名３、・・・）を有するランドマークリストを受けると、先ず、該限定エリア情報（都道府県名、市区町村名）に基づいてランドマーク情報ＤＢ１０６で保持するランドマーク情報を検索し、各ランドマーク種類名に該当する各ランドマーク分類の各施設間の経緯度座標距離の合計である合計経緯度座標距離（３つ以上の施設の各施設間の距離の合計）を算出する。そして、目的候補地検索部１０７は、上記合計経緯度座標距離を算出すると、該合計経緯度座標距離の短い順で、かつ目的候補地を制限すべく例えば検索数５と設定された該当施設の各ランドマーク情報の経緯度座標から成る５つの目的候補地エリア情報を生成する。目的候補地検索部１０７は、上記検索数の目的候補地エリア情報を生成すると、生成した各目的候補地エリア情報に合計経緯度座標距離の短い順を示す優先順位を付与した目的候補地エリア情報群を生成する。
【００３２】
目的候補地検索部１０７が上記目的候補地エリア情報群を生成すると、制御部１０１は、地図画像データ取得部１０９に地図画像データの取得を指示すると共に、上記目的候補地エリア情報群を転送する。
【００３３】
地図ＤＢ１０８は、日本全国の都道府県、市区町村、町丁、番地に基づいて構成され、例えば公園や店などの施設名、河川名、鉄道名、道路名、標高などを含めた地図情報を保持するデータベースである。ここで、上記地図情報が有する施設名には、ランドマーク情報ＤＢ１０６で保持するランドマーク情報に含まれる全ての施設名が含まれているものとする。また、地図ＤＢ１０８が保持する地図情報の構成については、周知であるため、詳細な説明は割愛する。
【００３４】
地図画像データ取得部１０９は、地図取得の検索キーワードとして転送された上記目的候補地エリア情報群、上記住所情報（都道府県名、市区町村名、町丁名、番地）、上記施設情報（都道府県名、市区町村名、施設名）のいずれか一つに基づいて地図ＤＢ１０８で保持する地図情報を検索し、該当するエリアの地図画像データを取得し、後述する地図画像データ群を生成する。ここで、地図画像データ取得部１０９における上記住所情報及び施設情報に基づいた地図画像データの取得処理については、周知であるため、説明を割愛する。
【００３５】
一方、地図画像データ取得部１０９は、地図画像データの取得の指示と共に、上記目的候補地エリア情報群を受けると、各目的候補地エリア情報に付与された優先順位順に各目的候補地エリア情報に含まれる複数の経緯度座標に基づいて地図ＤＢ１０８で保持する地図情報を検索し、該当するエリアを含む地図画像データを順次取得する。ここで、取得した地図画像データには、上記優先順位がそのまま付与される。そして、地図画像データ取得部１０９は、全ての地図画像データを取得すると、各地図画像データから成る地図画像データ群を生成する。この各地図画像データは、実際の土地面積に対して上記複数の経緯度座標に基づいて任意に設定された表示倍率で取得されており、該地図画像データには、この表示倍率を示す表示倍率情報が付与されているものとする。
【００３６】
地図画像データ取得部１０９が上記地図画像データ群を取得すると、制御部１０１は、画面情報生成部１０３に目的候補地地図表示画面情報の生成を指示すると共に、該地図画像データ群を転送する。
【００３７】
画面情報生成部１０３は、目的候補地地図表示画面の生成の指示と共に、上記地図画像データ群を受けると、図６に示すように、各地図画像データを優先順位順に検索結果としてリスト表示する地図画像データリストボックスと、各地図画像データボックスに表示された地図画像データの表示倍率を示すと共に該表示倍率を選択するための表示倍率リストボックスと、「印刷処理」ボタンと、「終了」ボタンとから構成された目的候補地地図表示画面情報を生成する。生成した目的候補地地図表示画面情報は、制御部１０１の制御により、入力表示部１０２のタッチパネルディスプレイ上に表示される。ここで、上記各表示倍率リストボックスには、各地図画像データに付与された表示倍率情報が示す表示倍率が表示されている。
【００３８】
上記地図画像データリストボックスに表示される地図画像データには、図６に示すように、ユーザにより選択されたランドマーク種類情報に対応するランドマーク情報ＤＢ１０６で保持する該当ランドマーク情報の各施設名が当該経緯度座標の位置に含まれる。ここで、上記地図画像データのランドマークに該当する施設の近傍には、地図ＤＢ１０８で保持する地図情報に予め格納された施設名が当該経緯度座標の位置に含まれているものとする。
【００３９】
尚、ユーザが入力表示部１０２のタッチパネルディスプレイ上に表示された図６に示すような目的候補地地図表示画面情報を参照し、該目的候補地地図表示画面情報に表示された地図画像データリストボックスの中からいずれかの地図画像データを表示するための検索結果１乃至５を選択して表示倍率リストボックスから所望する表示倍率を選択した場合には、選択された検索結果１乃至５のいずれかの地図画像データリストボックスでは、選択された表示倍率の地図画像データが表示される。
【００４０】
ユーザが入力表示部１０２のタッチパネルディスプレイ上に表示された図６に示すような目的候補地地図表示画面情報を参照し、該目的候補地地図表示画面情報に表示された地図画像データリストボックスの中からある地図画像データが表示された検索結果１乃至５のいずれかを選択して「印刷処理」ボタンを押下すると、制御部１０１は、印刷処理部１１０に印刷処理を指示すると共に、該検索結果に表示された地図画像データを転送する。
【００４１】
印刷処理部１１０は、ユーザから印刷要求を受けると、上記目的地地図表示画面情報に表示された地図画像データに基づく印刷処理を行う印刷処理部である。即ち、印刷処理部１１０は、印刷処理の指示と共に、地図画像データを受けると、画像形成装置１００の図示しない印刷印刷媒体保持部で保持された印刷媒体上に該地図画像データに基づく画像を形成する。ここで、印刷処理部１１０における上記「住所」及び「施設情報」を検索キーワードとして地図画像データ取得部１０９において取得した地図画像データに基づく印刷処理については、周知であるため、説明を割愛する。
【００４２】
ユーザが入力表示部１０２のタッチパネルディスプレイ上に表示された目的地地図表示画面情報を参照し、該画面上の「終了」ボタンを押下すると、制御部１０１は、画面情報生成部１０３に初期画面情報の生成を指示すると共に、地図取得処理を終了する。
【００４３】
＜実施例１の動作＞
次に、本発明の実施例１の画像形成装置１００における、地図取得の検索キーワードとして「ランドマーク（目印）」を用いた場合の地図取得の動作について、図７のフローチャートを用いて説明する。
【００４４】
ユーザが入力表示部１０２のタッチパネルディスプレイ上に表示された上記初期画面情報を参照し、「地図取得」ボタンを押下すると、制御部１０１は、画面情報生成部１０３にキーワード種類選択画面情報の生成を指示する。
【００４５】
画面情報生成部１０３は、上記キーワード種類選択画面情報の生成の指示を受けると、図２に示すように、地図検索に用いる検索キーワードを選択する旨を通知するメッセージ「地図を取得します。目的地を検索するキーワードを選択してください。」と、選択キーワードである「ランドマーク（目印）」ボタン、「住所」ボタン、「施設名」ボタンとから構成されるキーワード種類選択画面情報を生成する。生成したキーワード種類選択画面情報は、制御部１０１の制御により、入力表示部１０２のタッチパネルディスプレイ上に表示される（ステップＳ１０１）。
【００４６】
ユーザが入力表示部１０２のタッチパネルディスプレイ上に表示されたキーワード種類選択画面情報を参照し、目的地の住所や施設名が正確に分からないので、ユーザの記憶の中の目的地近辺の施設などを目印として目的地を検索するために、上記「ランドマーク（目印）」ボタンを押下すると（ステップＳ１０２）、制御部１０１は、画面情報生成部１０３に検索エリア入力画面情報の生成を指示する。
【００４７】
画面情報生成部１０３は、上記検索エリア入力画面情報の生成の指示を受けると、図３に示すように、ランドマークが存在するエリアの限定を促す旨のメッセージ「ランドマーク（目印）が存在するエリアを限定してください。」と共に、都道府県名のリストボックスと、市区町村名のリストボックスと、「設定完了」ボタンとから構成された検索エリア入力画面情報を生成する。ここで、上記各リストボックスに表示される都道府県名、市区町村名は、住所情報ＤＢ１０４で保持する住所情報を用いている。生成した検索エリア入力画面情報は、制御部１０１の制御により、入力表示部１０２のタッチパネルディスプレイ上に表示される（ステップＳ１０３）。
【００４８】
ユーザが入力表示部１０２のタッチパネルディスプレイ上に表示された検索エリア入力情報を参照して、各リストボックスから都道府県名（〇〇県）、市区町村名（〇×市）を選択し、「設定完了」ボタンを押下すると（ステップＳ１０４）、制御部１０１は、画面情報生成部１０３にランドマーク設定画面情報の生成を指示すると共に、ユーザにより選択された都道府県名（〇〇県）、市区町村名（〇×市）からなる限定エリア情報を転送する。この時、ユーザが上記各リストボックスから都道府県名、市区町村名を選択せずに、「設定完了」ボタンを押下した場合には、エリアが限定されていないことによる入力エラーメッセージを入力表示部１０２を介して表示させ、再び検索エリア入力情報を表示させる。
【００４９】
画面情報生成部１０３は、上記ランドマーク設定画面情報の生成の指示と共に、上記限定エリア情報（都道府県名＝〇〇県、市区町村名＝〇×市）を受けると、図４に示すように、検索対象のエリア（都道府県名＝〇〇県、市区町村名＝〇×市）の説明及びランドマーク（目印）を複数選択する旨を通知するメッセージ「〇〇県〇×市のエリアを検索します。複数のランドマークを選択してください。」と、上記ランドマーク種類情報ＤＢ１０５で保持するランドマーク種類情報をリスト表示するための各ランドマークリストボックスと、各ランドマークリストボックスに対応する通し番号を含む検索キーワード名（検索キーワード１、検索キーワード２、・・・）と、「設定完了」ボタンとから構成されたランドマーク設定画面情報を生成する。生成したランドマーク設定画面情報は、制御部１０１の制御により、入力表示部１０２のタッチパネルディスプレイ上に表示される（ステップＳ１０５）。この時、生成された初期の上記ランドマーク設定画面情報では、各ランドマークリストボックス内は、ランドマーク種類名の無いブランク（空白）になっている。また、上記各ランドマークリストボックスには、通し番号を含むボックス識別情報が付与されている。
【００５０】
ユーザは、入力表示部１０２のタッチパネルディスプレイ上に表示されたランドマーク設定画面情報を参照し、複数のランドマークリストボックスから所望のランドマーク種類情報を各々選択する。上記ランドマーク種類情報が選択されると、各ランドマークリストボックス内にランドマーク種類名が表示されると共に、各ランドマークリストボックス内に表示された例えばコンビニエンスストア、公園などのランドマーク種類名から成るランドマークリストが生成される。この時、上記ランドマークリストでは、上記ランドマークリストボックスに付与されたボックス識別情報が有する通し番号順（昇順）に、例えば各ランドマークリストボックス内に表示されたランドマーク種類名（ランドマーク種類名１＝コンビニエンスストア、ランドマーク種類名２＝公園、・・・）を保持している。
【００５１】
そして、ユーザが上記複数のランドマークリストボックスから所望のランドマーク種類情報を各々選択し、上記「設定完了」ボタンを押下すると（ステップＳ１０６）、制御部１０１は、目的候補地検索部１０７に目的候補地の検索を指示すると共に、上記ランドマークリストと、上記限定エリア情報（都道府県名、市区町村名）とを転送する。この時、ユーザの選択により１つのランドマークリストボックス内にだけランドマーク種類名が表示されている、又はランドマーク種類名が表示されているランドマークリストボックスが１つもない状況で「設定完了」ボタンを押下された場合は、ランドマーク種類名の不足によるエラーメッセージを入力表示部１０２を介して表示させ、その後、再びランドマーク設定画面情報を表示させる。
【００５２】
目的候補地検索部１０７は、目的候補地の検索の指示と共に、上記限定エリア情報（都道府県名＝〇〇県、市区町村名＝〇×市）と、２つのランドマーク種類名（ランドマーク種類名１＝コンビニエンスストア、ランドマーク種類名２＝公園）を有するランドマークリストを受けると（ステップＳ１０７）、先ず、該限定エリア情報に基づいてランドマーク情報ＤＢ１０６で保持するランドマーク情報を検索し、ランドマーク種類名１（コンビニエンスストア）及びランドマーク種類名２（公園）に該当する各ランドマーク分類の各施設間の経緯度座標距離（２つの施設間の距離）を算出する（ステップＳ１０８）。そして、目的候補地検索部１０７は、上記経緯度座標距離を算出すると、該経緯度座標距離の短い順で、かつ目的候補地を制限すべく例えば検索数５と設定された該当施設の各ランドマーク情報の経緯度座標から成る５つの目的候補地エリア情報を生成する（ステップＳ１０９）。目的候補地検索部１０７は、上記検索数の目的候補地エリア情報を生成すると、生成した各目的候補地エリア情報に経緯度座標距離の短い順を示す優先順位を付与した目的候補地エリア情報群を生成する（ステップＳ１１０）。
【００５３】
一方、目的候補地検索部１０７は、３つ以上のランドマーク種類名（ランドマーク種類名１＝コンビニエンスストア、ランドマーク種類名２＝公園、ランドマーク種類名３＝ガソリンスタンド、・・・）を有するランドマークリストを受けると、先ず、該限定エリア情報（都道府県名＝〇〇県、市区町村名＝〇×市）に基づいてランドマーク情報ＤＢ１０６で保持するランドマーク情報を検索し、各ランドマーク種類名（コンビニエンスストア、公園、ガソリンスタンド、・・・）に該当する各ランドマーク分類の各施設間の経緯度座標距離の合計である合計経緯度座標距離（３つ以上の施設の各施設間の距離の合計）を算出する（ステップＳ１１１）。そして、目的候補地検索部１０７は、上記合計経緯度座標距離を算出すると、該合計経緯度座標距離の短い順で、かつ目的候補地を制限すべく例えば検索数５と設定された該当施設の各ランドマーク情報の経緯度座標から成る５つの目的候補地エリア情報を生成する（ステップＳ１１２）。目的候補地検索部１０７は、上記検索数の目的候補地エリア情報を生成すると、生成した各目的候補地エリア情報に合計経緯度座標距離の短い順を示す優先順位を付与した目的候補地エリア情報群を生成する（ステップＳ１１３）。
【００５４】
目的候補地検索部１０７が上記目的候補地エリア情報群を生成すると、制御部１０１は、地図画像データ取得部１０９に地図画像データの取得を指示すると共に、上記目的候補地エリア情報群を転送する。
【００５５】
地図画像データ取得部１０９は、地図画像データの取得の指示と共に、上記目的候補地エリア情報群を受けると、各目的候補地エリア情報に付与された優先順位順に各目的候補地エリア情報に含まれる複数の経緯度座標に基づいて地図ＤＢ１０８で保持する地図情報を検索し、該当するエリアを含む地図画像データを順次取得する。この時、取得した地図画像データには、上記優先順位がそのまま付与される。そして、地図画像データ取得部１０９は、全ての地図画像データを取得すると、各地図画像データから成る地図画像データ群を生成する（ステップＳ１１４）。この時、各地図画像データは、実際の土地面積に対して上記複数の経緯度座標に基づいて任意に設定された表示倍率で取得されており、該地図画像データには、この表示倍率を示す表示倍率情報が付与されている。
【００５６】
地図画像データ取得部１０９が上記地図画像データ群を取得すると、制御部１０１は、画面情報生成部１０３に目的候補地地図表示画面情報の生成を指示すると共に、該地図画像データ群を転送する。
【００５７】
画面情報生成部１０３は、目的候補地地図表示画面の生成の指示と共に、上記地図画像データ群を受けると、図６に示すように、各地図画像データを優先順位順に検索結果としてリスト表示する地図画像データリストボックスと、各地図画像データボックスに表示された地図画像データの表示倍率を示すと共に該表示倍率を選択するための表示倍率リストボックスと、「印刷処理」ボタンと、「終了」ボタンとから構成された目的候補地地図表示画面情報を生成する。生成した目的候補地地図表示画面情報は、制御部１０１の制御により、図６に示すように、入力表示部１０２のタッチパネルディスプレイ上に表示される（ステップＳ１１５）。この時、上記各表示倍率リストボックスには、各地図画像データに付与された表示倍率情報が示す表示倍率が表示される。
【００５８】
上記地図画像データリストボックスに表示される地図画像データには、図６に示すように、ユーザにより選択されたランドマーク種類情報（コンビニエンスストア、公園、ガソリンスタンド）に対応するランドマーク情報ＤＢ１０６で保持する該当ランドマーク情報の各施設名（〇×ストア、××公園、〇〇石油××店）が当該経緯度座標の位置に含まれる。この時、上記地図画像データのランドマークに該当する施設の近傍には、地図ＤＢ１０８で保持する地図情報に予め格納された施設名が当該経緯度座標の位置に含まれている。
【００５９】
ユーザが入力表示部１０２のタッチパネルディスプレイ上に表示された図６に示すような目的候補地地図表示画面情報を参照し、該目的候補地地図表示画面情報に表示された地図画像データリストボックスの中からいずれかの地図画像データを表示するための検索結果１乃至５を選択して表示倍率リストボックスから所望する表示倍率を選択した場合には（ステップＳ１１６）、選択された検索結果１乃至５のいずれかの地図画像データリストボックスでは、選択された表示倍率の地図画像データが表示される。
【００６０】
ユーザが入力表示部１０２のタッチパネルディスプレイ上に表示された図６に示すような目的候補地地図表示画面情報を参照し、該目的候補地地図表示画面情報に表示された地図画像データリストボックスの中からある地図画像データが表示された検索結果１乃至５のいずれかを選択して「印刷処理」ボタンを押下すると（ステップＳ１１７）、制御部１０１は、印刷処理部１１０に印刷処理を指示すると共に、該検索結果に表示された地図画像データを転送する。
【００６１】
印刷処理部１１０は、印刷処理の指示と共に、地図画像データを受けると、画像形成装置１００の図示しない印刷印刷媒体保持部で保持された印刷媒体上に該地図画像データに基づく画像を形成する（ステップＳ１１８）。
【００６２】
ユーザが入力表示部１０２のタッチパネルディスプレイ上に表示された目的地地図表示画面情報を参照し、該画面上の「終了」ボタンを押下すると、制御部１０１は、画面情報生成部１０３に初期画面情報の生成を指示すると共に、地図取得処理を終了する。
【００６３】
＜実施例１の効果＞
実施例１の画像形成装置１００によれば、ユーザの目的地の住所及び施設名が不明瞭な場合でも、目的地を検索するエリアを示す限定エリア情報（都道府県名、市区町村名）を設定し、ランドマーク種類情報ＤＢ１０５で保持するランドマーク種類情報からユーザの記憶の中の目的地近辺の目印となる施設に該当するランドマーク種類情報を選択すると、選択された各ランドマーク種類情報のランドマーク種類名から成るランドマークリストを生成するので、目的候補地検索部１０７が、上記限定エリア情報と、該ランドマークリストに保持される各ランドマーク種類名とに基づいて目印となる施設のランドマーク情報が格納されたランドマーク情報ＤＢ１０６を検索し、目的候補地となるエリアを判定し、地図画像データ取得部１０９が目的候補地となるエリアの地図画像データを取得して装置のタッチパネルディスプレイ上に表示するので、ユーザは、表示された目的候補地の地図画像データを参照して目的地を検索することが可能となる。
【実施例２】
【００６４】
＜実施例２の構成＞
本発明の実施例２の画像形成装置１００ａは、図１０に示すように、ユーザが入力表示部１０２に表示されたランドマーク設定画面情報２を参照し、不明瞭な記憶に基づいて検索キーワードを設定する場合において、ランドマーク（目印）となる施設の種類が不明瞭であっても、各施設の種類に該当する検索キーワードとして複数のランドマーク種類名と各ランドマーク種類名の存在確率値とを選択することが可能なランドマーク設定画面情報２を生成する画面情報生成部１０３ａを用いる構成にしたものである。また、上記画像形成装置１００ａは、上記ランドマーク設定画面情報２を用いて設定された複数のランドマーク種類情報と、各ランドマーク種類情報の存在確率値とに基づいて目的候補地を検索する目的候補地検索部１０７ａを用いる構成にしたものである。更に、上記画像形成装置１００ａは、上記存在確率値（０〜１００％）を示す存在確率値情報を格納するための存在確率値情報格納部１１１の構成を追加したものである。
【００６５】
上記画像形成装置１００ａは、図８に示すように、装置全体を制御するための制御部１０１ａと、入力表示部１０２と、画面情報生成部１０３ａと、住所情報ＤＢ１０４と、ランドマーク種類情報ＤＢ１０５と、ランドマーク情報ＤＢ１０６と、目的候補地検索部１０７ａと、地図ＤＢ１０８と、地図画像データ取得部１０９と、印刷処理部１１０と、存在確率値情報格納部１１１とを備える。
【００６６】
存在確率値情報格納部１１１は、図１０に示すように、検索キーワードとなる各ランドマーク種類情報の存在確率値（０〜１００％）を示す存在確率値情報を格納する格納部である。本実施例２では、存在確率値情報は、０％、１０％、・・・、１００％を示す１０％毎の単位の確率値であるが、これに限らず、０％、１％、・・・、１００％を示す１％毎の単位の確率値であってもよい。
【００６７】
ユーザが入力表示部１０２のタッチパネルディスプレイ上に表示された検索エリア入力情報を参照して、各リストボックスから都道府県名、市区町村名を選択し、「設定完了」ボタンを押下すると、制御部１０１ａは、画面情報生成部１０３ａにランドマーク設定画面情報２の生成を指示すると共に、ユーザにより選択された都道府県名、市区町村名から成る限定エリア情報を転送する。
【００６８】
画面情報生成部１０３ａは、上記ランドマーク設定画面情報の生成の指示と共に、上記限定エリア情報（都道府県名、市区町村名）を受けると、図９に示すように、検索対象のエリア（都道府県名、市区町村名）の説明及びランドマーク（目印）を複数選択する旨を通知するメッセージと、上記ランドマーク種類情報ＤＢ１０５で保持するランドマーク種類情報をリスト表示するための各ランドマークリストボックスと、上記存在確率値情報格納部１１１で保持する存在確率値情報をリスト表示するための各存在確率値リストボックスと、各ランドマークリストボックスに対応する通し番号を含む検索キーワード名と、「設定完了」ボタンとから構成されたランドマーク設定画面情報２を生成する。生成したランドマーク設定画面情報２は、制御部１０１ａの制御により、入力表示部１０２のタッチパネルディスプレイ上に表示される。この生成された初期の上記ランドマーク設定画面情報２では、図９に示すように、各ランドマークリストボックス内は、ランドマーク種類名の無いブランク（空白）になっている。ここで、上記各ランドマークリストボックスには、検索キーワード名に含まれる通し番号及び枝番から成るボックス識別情報が付与されている。また、上記各存在確率値リストボックスには、上記ランドマークリストボックスと同じ通し番号及び枝番から成る確率値ボックス識別情報が付与されている。
【００６９】
ユーザは、入力表示部１０２のタッチパネルディスプレイ上に表示されたランドマーク設定画面情報２を参照し、複数のランドマークリストボックスから所望のランドマーク種類情報を各々選択すると共に、当該存在確率値リストボックスから選択した各ランドマーク種類情報の存在確率値を各々選択する。上記ランドマーク設定画面情報２では、図１０に示すように、ユーザが検索キーワード２に対応するランドマークリストボックスから「公園」のランドマーク種類名を選択し、当該存在確率値リストボックスから「６０％」の存在確率値を選択した場合には、存在確率値を考慮した論理和に基づいて、残り４０％の存在確率値に該当するランドマーク種類情報が選択可能なように新たなランドマークリストボックスと、存在確率値リストボックスとが自動挿入されるので、各検索キーワードとして複数のランドマーク種類情報を設定することが可能となる。ここで、新たなランドマークリストボックス及び存在確率値リストボックスが自動挿入されると、挿入されたランドマークリストボックスには、該当する検索キーワード名に含まれる通し番号及び新たな枝番から成るボックス識別情報が付与される。また、上記挿入された存在確率値リストボックスには、上記ランドマークリストボックスと同じ通し番号及び枝番から成る確率値ボックス識別情報が付与される。
【００７０】
上記ランドマークリストボックスは、該ランドマークリストボックスに付与されたボックス識別情報を有する通し番号及び枝番順（昇順）に順次選択可能な構成となっている。上記各検索キーワードとして各ランドマーク種類情報及び当該存在確率値情報が選択されると、各ランドマークリストボックス内に選択されたランドマーク種類名が表示され、当該存在確率値リストボックス内に選択された存在確率値が表示されると共に、各検索キーワード名と、各検索キーワードに属するランドマーク種類名及び当該存在確率値とから成るランドマークリストが生成される。
【００７１】
上記ランドマークリストは、例えば各検索キーワードとして複数のランドマーク種類名及び当該存在確立値が選択された場合には、検索キーワード１＝ランドマーク種類名１−１（存在確率値１−１）、ランドマーク種類名１−２（存在確率値１−２）・・・、検索キーワード２＝ランドマーク種類名２−１（存在確率値２−１）、ランドマーク種類名２−２（存在確率値２−２）・・・、・・・を保持している。ここで、各ランドマーク種類名は、各ランドマークリストボックスに付与されているボックス識別情報が有する通し番号及び枝番を属性として有する。同様に、各存在確率値は、各存在確率値リストボックスに付与されている確率値ボックス識別情報が有する通し番号及び枝番を属性として有する。
【００７２】
そして、ユーザが上記複数の検索キーワードの各ランドマークリストボックスから所望のランドマーク種類情報を各々選択し、当該存在確率値リストボックスから存在確率値情報を選択し、上記「設定完了」ボタンを押下すると、制御部１０１ａは、目的候補地検索部１０７ａに目的候補地の検索を指示すると共に、上記ランドマークリストと、上記限定エリア情報（都道府県名、市区町村名）とを転送する。ここで、ユーザの選択により２つ以上の検索キーワードの各ランドマークリストボックスにランドマーク種類名が表示されていると共に、該当する各存在確率値リストボックスに存在確率値が表示されている状況以外で「設定完了」ボタンを押下された場合には、ランドマーク種類名及び存在確率値の選択が正しく行われていない旨を示すエラーメッセージを入力表示部１０２を介して表示させ、その後、再びランドマーク設定画面情報を表示させるものとする。
【００７３】
目的候補地検索部１０７ａは、ユーザの設定による上記限定エリア情報（都道府県名、市区町村名）と、上記ランドマークリストに基づいて、目的候補地となる地図情報のエリアを検索する検索部である。即ち、目的候補地検索部１０７ａは、目的候補地の検索の指示と共に、上記限定エリア情報（都道府県名、市区町村名）と、２つの検索キーワード「検索キーワード１＝ランドマーク種類名１−１（存在確率値１−１）、ランドマーク種類名１−２（存在確率値１−２）、・・・、検索キーワード２＝ランドマーク種類名２−１（存在確率値２−１）、ランドマーク種類名２−２（存在確率値２−２）、・・・」を有するランドマークリストを受けると、先ず、該限定エリア情報に基づいてランドマーク情報ＤＢ１０６で保持するランドマーク情報を検索し、検索キーワード１及び検索キーワード２の存在確率値が高いランドマーク種類名順に各ランドマーク種類名に該当する各ランドマーク分類の各施設間の経緯度座標距離（２つの施設間の距離）を算出する。そして、目的候補地検索部１０７ａは、上記経緯度座標距離を算出すると、該経緯度座標距離の短い順で、かつ目的候補地を制限すべく例えば検索数５と設定された該当施設の各ランドマーク情報の経緯度座標から成る５つの目的候補地エリア情報を生成する。目的候補地検索部１０７ａは、上記検索数の目的候補地エリア情報を生成すると、生成した各目的候補地エリア情報に経緯度座標距離の短い順を示す優先順位を付与した目的候補地エリア情報群を生成する。尚、ランドマーク情報ＤＢ１０６で保持するランドマーク情報の「住所」を基準にして目的候補地エリア情報群を生成してもよい。
【００７４】
一方、目的候補地検索部１０７ａは、３つ以上の検索キーワード「検索キーワード１＝ランドマーク種類名１−１（存在確率値１−１）、ランドマーク種類名１−２（存在確率値１−２）、・・・、検索キーワード２＝ランドマーク種類名２−１（存在確率値２−１）、ランドマーク種類名２−２（存在確率値２−２）、検索キーワード３＝ランドマーク種類名３−１（存在確率値３−１）、ランドマーク種類名３−２（存在確率値３−２）、・・・」を有するランドマークリストを受けると、先ず、該限定エリア情報（都道府県名、市区町村名）に基づいてランドマーク情報ＤＢ１０６で保持するランドマーク情報を検索し、各検索キーワードの存在確率値が高いランドマーク種類名順に各ランドマーク種類名に該当する各ランドマーク分類の各施設間の経緯度座標距離の合計である合計経緯度座標距離（３つ以上の施設の各施設間の距離の合計）を算出する。そして、目的候補地検索部１０７ａは、上記合計経緯度座標距離を算出すると、該合計経緯度座標距離の短い順で、かつ目的候補地を制限すべく例えば検索数５と設定された該当施設の各ランドマーク情報の経緯度座標から成る５つの目的候補地エリア情報を生成する。目的候補地検索部１０７ａは、上記検索数の目的候補地エリア情報を生成すると、生成した各目的候補地エリア情報に合計経緯度座標距離の短い順を示す優先順位を付与した目的候補地エリア情報群を生成する。
【００７５】
目的候補地検索部１０７ａが上記目的候補地エリア情報群を生成すると、制御部１０１ａは、地図画像データ取得部１０９に地図画像データの取得を指示すると共に、上記目的候補地エリア情報群を転送する。
【００７６】
尚、その他の構成については、実施例１の画像形成装置１００の構成と同じである。
【００７７】
＜実施例２の動作＞
次に、本発明の実施例２の画像形成装置１００ａにおける、地図取得の検索キーワードとして「ランドマーク（目印）」を用いた場合の地図取得の動作について、図１１のフローチャートを用いて説明する。
【００７８】
実施例２の画像形成装置１００ａは、先ず、実施例１の画像形成装置１００のステップＳ１０１〜１０３と同じ動作を行う。
【００７９】
ユーザが入力表示部１０２のタッチパネルディスプレイ上に表示された検索エリア入力情報を参照して、各リストボックスから都道府県名、市区町村名を選択し、「設定完了」ボタンを押下すると（ステップＳ２０１）、制御部１０１ａは、画面情報生成部１０３ａにランドマーク設定画面情報２の生成を指示すると共に、ユーザにより選択された都道府県名、市区町村名から成る限定エリア情報を転送する。
【００８０】
画面情報生成部１０３ａは、上記ランドマーク設定画面情報の生成の指示と共に、上記限定エリア情報（都道府県名＝〇〇県、市区町村名＝〇×市）を受けると、図９に示すように、検索対象のエリア（都道府県名、市区町村名）の説明及びランドマーク（目印）を複数選択する旨を通知するメッセージ「〇〇県〇×市のエリアを検索します。複数のランドマークを選択し、かつ各ランドマークの存在確率値を選択してください」と、上記ランドマーク種類情報ＤＢ１０５で保持するランドマーク種類情報をリスト表示するための各ランドマークリストボックスと、上記存在確率値情報格納部１１１で保持する存在確率値情報をリスト表示するための各存在確率値リストボックスと、各ランドマークリストボックスに対応する通し番号を含む検索キーワード名「検索キーワード１、検索キーワード２、・・・」と、「設定完了」ボタンとから構成されたランドマーク設定画面情報２を生成する。生成したランドマーク設定画面情報２は、制御部１０１ａの制御により、入力表示部１０２のタッチパネルディスプレイ上に表示される（ステップＳ２０２）。この生成された初期の上記ランドマーク設定画面情報２では、図９に示すように、各ランドマークリストボックス内は、ランドマーク種類名の無いブランク（空白）になっている。この時、上記各ランドマークリストボックスには、検索キーワード名に含まれる通し番号及び枝番から成るボックス識別情報（１−１、２−１、・・・）が付与されている。また、上記各存在確率値リストボックスには、上記ランドマークリストボックスと同じ通し番号及び枝番から成る確率値ボックス識別情報（１−１、２−１、・・・）が付与されている。
【００８１】
ユーザは、入力表示部１０２のタッチパネルディスプレイ上に表示されたランドマーク設定画面情報２を参照し、複数のランドマークリストボックスから所望のランドマーク種類情報を各々選択すると共に、当該存在確率値リストボックスから選択した各ランドマーク種類情報の存在確率値を各々選択する。この時、上記ランドマーク設定画面情報２では、図１０に示すように、ユーザが検索キーワード２に対応するランドマークリストボックスから「公園」のランドマーク種類名を選択し、当該存在確率値リストボックスから「６０％」の存在確率値を選択した場合には、存在確率値を考慮した論理和に基づいて、残り４０％の存在確率値に該当するランドマーク種類情報が選択可能なように新たなランドマークリストボックスと、存在確率値リストボックスとが自動挿入される。そして、新たなランドマークリストボックス及び存在確率値リストボックスが自動挿入されると、挿入されたランドマークリストボックスには、該当する検索キーワード名（検索キーワード２）に含まれる通し番号（２）及び新たな枝番（２）から成るボックス識別情報（２−２）が付与される。また、上記挿入された存在確率値リストボックスには、上記ランドマークリストボックスと同じ通し番号及び枝番から成る確率値ボックス識別情報（２−２）が付与される。
【００８２】
上記ランドマークリストボックスは、該ランドマークリストボックスに付与されたボックス識別情報を有する通し番号及び枝番順（昇順）に順次選択可能である。上記各検索キーワードとして各ランドマーク種類情報及び当該存在確率値情報が選択されると、各ランドマークリストボックス内に選択されたランドマーク種類名が表示され、当該存在確率値リストボックス内に選択された存在確率値が表示されると共に、各検索キーワード名と、各検索キーワードに属するランドマーク種類名及び当該存在確率値とから成るランドマークリストが生成される。この時、上記ランドマークリストでは、例えば検索キーワード１＝ランドマーク種類名１−１：コンビニエンスストア（存在確率値１−１：１００％）、検索キーワード２＝ランドマーク種類名２−１：公園（存在確率値２−１：６０％）ｏｒランドマーク種類名２−２：学校（存在確率値２−２：４０％）、・・・を保持している。この時、各ランドマーク種類名は、各ランドマークリストボックスに付与されているボックス識別情報が有する通し番号及び枝番を属性として有する。同様に、各存在確率値は、各存在確率値リストボックスに付与されている確率値ボックス識別情報が有する通し番号及び枝番を属性として有する。
【００８３】
そして、ユーザが上記複数の検索キーワードの各ランドマークリストボックスから所望のランドマーク種類情報を各々選択し、当該存在確率値リストボックスから存在確率値情報を選択し、上記「設定完了」ボタンを押下すると（ステップＳ２０３）、制御部１０１ａは、目的候補地検索部１０７ａに目的候補地の検索を指示すると共に、上記ランドマークリストと、上記限定エリア情報（都道府県名＝〇〇県、市区町村名＝〇×市）とを転送する。この時、ユーザの選択により２つ以上の検索キーワードの各ランドマークリストボックスにランドマーク種類名が表示されていると共に、該当する各存在確率値リストボックスに存在確率値が表示されている状況以外で「設定完了」ボタンを押下された場合には、ランドマーク種類名及び存在確率値の選択が正しく行われていない旨を示すエラーメッセージを入力表示部１０２を介して表示させ、その後、再びランドマーク設定画面情報を表示させる。
【００８４】
目的候補地検索部１０７ａは、目的候補地の検索の指示と共に、上記限定エリア情報（都道府県名＝〇〇県、市区町村名＝〇×市）と、２つの検索キーワード「検索キーワード１＝ランドマーク種類名１−１：コンビニエンスストア（存在確率値１−１：１００％）、検索キーワード２＝ランドマーク種類名２−１：公園（存在確率値２−１：６０％）、ランドマーク種類名２−２：学校（存在確率値２−２：４０％）」を有するランドマークリストを受けると（ステップＳ２０４）、先ず、該限定エリア情報に基づいてランドマーク情報ＤＢ１０６で保持するランドマーク情報を検索し、検索キーワード１及び検索キーワード２の存在確率値が高いランドマーク種類名順（検索キーワード２においては公園、学校の順）に各ランドマーク種類名に該当する各ランドマーク分類の各施設間の経緯度座標距離（２つの施設間の距離）を算出する（ステップＳ２０５）。そして、目的候補地検索部１０７ａは、上記経緯度座標距離を算出すると、該経緯度座標距離の短い順で、かつ目的候補地を制限すべく例えば検索数５と設定された該当施設の各ランドマーク情報の経緯度座標から成る５つの目的候補地エリア情報を生成する（ステップＳ２０６）。目的候補地検索部１０７ａは、上記検索数の目的候補地エリア情報を生成すると、生成した各目的候補地エリア情報に経緯度座標距離の短い順を示す優先順位を付与した目的候補地エリア情報群を生成する（ステップＳ２０７）。
【００８５】
一方、目的候補地検索部１０７ａは、３つ以上の検索キーワード「検索キーワード１＝ランドマーク種類名１−１：コンビニエンスストア（存在確率値１−１：１００％）、検索キーワード２＝ランドマーク種類名２−１：公園（存在確率値２−１：６０％）、ランドマーク種類名２−２：学校（存在確率値２−２：４０％）、検索キーワード３＝ランドマーク種類名３−１：ガソリンスタンド（存在確率値３−１：７０％）、ランドマーク種類名３−２：ファミレス（存在確率値３−２：３０％）、・・・」を有するランドマークリストを受けると、先ず、上記限定エリア情報（都道府県名＝〇〇県、市区町村名＝〇×市）に基づいてランドマーク情報ＤＢ１０６で保持するランドマーク情報を検索し、各検索キーワードの存在確率値が高いランドマーク種類名順（検索キーワード２においては公園、学校の順で、検索キーワード３においてはガソリンスタンド、ファミレスの順で）に各ランドマーク種類名に該当する各ランドマーク分類の各施設間の経緯度座標距離の合計である合計経緯度座標距離（３つ以上の施設の各施設間の距離の合計）を算出する（ステップＳ２０８）。そして、目的候補地検索部１０７ａは、上記合計経緯度座標距離を算出すると、該合計経緯度座標距離の短い順で、かつ目的候補地を制限すべく例えば検索数５と設定された該当施設の各ランドマーク情報の経緯度座標から成る５つの目的候補地エリア情報を生成する（ステップＳ２０９）。目的候補地検索部１０７ａは、上記検索数の目的候補地エリア情報を生成すると、生成した各目的候補地エリア情報に経緯度座標距離の短い順を示す優先順位を付与した目的候補地エリア情報群を生成する（ステップＳ２１０）。
【００８６】
目的候補地検索部１０７ａが上記目的候補地エリア情報群を生成すると、制御部１０１ａは、地図画像データ取得部１０９に地図画像データの取得を指示すると共に、上記目的候補地エリア情報群を転送する。
【００８７】
この後、実施例２の画像形成装置１００ａは、実施例１の画像形成装置１００のステップＳ１１４〜１１８と同様の動作を行う。
【００８８】
＜実施例２の効果＞
実施例２の画像形成装置１００ａによれば、ユーザが入力表示部１０２に表示されたランドマーク設定画面情報２を参照し、不明瞭な記憶に基づいて検索キーワードを設定する場合において、ランドマーク（目印）となる施設の種類が不明瞭であっても、各施設の種類に該当する検索キーワードとして複数のランドマーク種類名と各ランドマーク種類名の存在確率値とを選択することができるので、これにより、選択された複数のランドマーク種類名と当該存在確率値とに基づいて目的候補地となるエリアを判定し、該当エリアの地図画像データを取得して装置のタッチパネルディスプレイ上に表示するので、ユーザは、表示された目的候補地の地図画像データを参照して目的地を検索することが可能となる。
【００８９】
尚、本発明の実施例１の画像形成装置１００及び実施例２の画像形成装置１００ａの地図ＤＢ１０８で保持する地図情報は、日本国内の地図情報のみであったが、これに限らず、世界各国の地図情報であってもよい。
【００９０】
同様に、本発明の実施例１の画像形成装置１００及び実施例２の画像形成装置１００ａの住所情報ＤＢ１０４で保持する住所情報は、日本国内の住所情報のみであったが、これに限らず、世界各国の住所情報であってもよい。
【００９１】
また、本発明の実施例１の画像形成装置１００及び実施例２の画像形成装置１００ａのランドマーク情報ＤＢ１０６で保持するランドマーク情報は、日本国内の目印と成り得る各施設のランドマーク情報のみであったが、これに限らず、世界各国の目印と成り得る各施設のランドマーク情報であってもよい。
【産業上の利用可能性】
【００９２】
上記した実施例及び変形例では、本発明の画像形成装置をプリンタとして適用した例を説明したが、これに限る必要はなく、例えば、複写機、ファクシミリ、カーナビゲーション、ＭＦＰ（Ｍｕｌｔｉ  Ｆｕｎｃｔｉｏｎ  Ｐｒｏｄｕｃｔｓ）、携帯端末等にも適用可能である。ここで、本発明の画像形成装置が携帯端末である場合には、地図情報ＤＢ、住所情報ＤＢ、ランドマーク情報ＤＢなどの各データベースを該携帯端末のセンター内のサーバに保持させ、該携帯端末からの要求に基づいて各データベースが保持する各種情報を提供する構成となる。
【図面の簡単な説明】
【００９３】
【図１】本発明に係る実施例１の画像形成装置の構成を示すブロック図である。
【図２】本発明に係るキーワード種類選択画面情報の表示の一例を示す図である。
【図３】本発明に係る検索エリア入力画面情報の表示の一例を示す図である。
【図４】本発明に係る実施例１のランドマーク設定画面情報の表示の一例を示す図である。
【図５】本発明に係るランドマーク情報ＤＢの構成を示す例示図である。
【図６】本発明に係る目的候補地地図表示画面情報の表示の一例を示す図である。
【図７】本発明に係る実施例１の画像形成装置の動作を示すフローチャートである。
【図８】本発明に係る実施例２の画像形成装置の構成を示すブロック図である。
【図９】本発明に係る実施例２のランドマーク設定画面情報２の初期表示の一例を示す図である。
【図１０】本発明に係る実施例２のランドマーク設定画面情報２の表示の一例を示す図である。
【図１１】本発明に係る実施例２の画像形成装置の動作を示すフローチャートである。
【符号の説明】
【００９４】
１００    画像形成装置
１０１    制御部
１０２    入力表示部
１０３    画面情報生成部
１０４    住所情報ＤＢ
１０５    ランドマーク種類情報ＤＢ
１０６    ランドマーク情報ＤＢ
１０７    目的候補地検索部
１０８    地図ＤＢ
１０９    地図画像データ取得部
１１０    印刷処理部
１１１    存在確率値情報格納部
【図１】
2009198660.tif 000003
【図２】
2009198660.tif 000004
【図３】
2009198660.tif 000005
【図４】
2009198660.tif 000006
【図５】
2009198660.tif 000007
【図６】
2009198660.tif 000008
【図７】
2009198660.tif 000009
【図８】
2009198660.tif 000010
【図９】
2009198660.tif 000011
【図１０】
2009198660.tif 000012
【図１１】
2009198660.tif 000013